(57)【要約】【課題】自動車にシートカバーを簡便に容易にかぶせることが出来、車体に積載又は車体の一部に取り付け可能な自動車搭載用シートカバー装置を提供する。【解決手段】シート２と、該シート２をロール巻きするローラー３と、該ローラー３を保持する保持具４とを少なくとも具備してなるシートカバー装置１である。シートカバー装置１は自動車の所定個所に着脱自在に取り付けられるようになっている。【選択図】  図２
2004182160.tif 000002
【特許請求の範囲】
【請求項１】
シートと、該シートをロール巻きしてなるローラーと、該ローラーを保持する保持具とを少なくとも具備してなるシートカバー装置であって、該シートカバー装置は自動車の所定個所に着脱自在に取り付けられるようになっていることを特徴とする自動車搭載用シートカバー装置。
【請求項２】
前記シートが、樹脂製である請求項１に記載の自動車搭載用シートカバー装置。
【請求項３】
前記樹脂製のシートが、包装用ラップフィルムであることを特徴とする請求項２に記載の自動車搭載用シートカバー装置。
【請求項４】
前記樹脂製のシートが、自動車の車体寸法に合わせて開閉自在に折畳まれて前記ローラーにロール巻きされていることを特徴とする請求項２に記載の自動車搭載用シートカバー装置。
【請求項５】
前記樹脂製のシートが、前記ローラーと複数本のテープ状の引き込みリードで接続されていることを特徴とする請求項２〜４のいずれか１項に記載の自動車搭載用シートカバー装置。
【請求項６】
前記ローラーを保持する保持具に、車体の一部に取着する金具が設けられていることを特徴とする請求項１〜５のいずれか１項に記載の自動車搭載用シートカバー装置。
【請求項７】
自動車の車体寸法に合わせて折畳むことが可能なシートと、
折畳み用ローラーと支持アームからなり、該折畳み用ローラーにより前記シートを自動車の車体寸法に合わせて開閉自在に折畳む折畳みユニットと、
前記折畳みユニットにより折畳まれたシートを巻き取る巻き取り駆動装置と、
前記巻き取り駆動装置を収納する容器と、
を少なくとも具備してなるシートカバー装置であって、
該シートカバー装置は自動車の所定個所に着脱自在に取り付けられるようになっていることを特徴とする自動車搭載用シートカバー装置。
【請求項８】
２枚の板と、該２枚の板の間隔を狭めてシートを挟み込むための締め付け用金具とから構成されるシート挟み込み治具が、前記容器の開口部に取り付けられていることを特徴とする請求項７に記載の自動車搭載用シートカバー装置。
【発明の詳細な説明】
【０００１】
【発明の属する技術分野】本発明は、自動車に搭載されて、車体に樹脂製などのシートカバーを簡便に容易にかぶせることの出来る自動車搭載用シートカバー装置に関する。
【０００２】
【従来の技術】従来、自動車用のシートカバーは、自動車とは別体であって、必要に応じ、その都度シートカバーを自動車とは離れた保管場所から取り出し自動車に被せ、あるいは取り外して保管場所に運んでいた。シートカバーはかさばり、かつ防水加工された布製のものが多く、かなり重く、車体へ被せる作業、及び取り外す作業、折畳んで保管場所に戻す作業などは容易ではなく、手間がかかり、わずらわしい作業であった。このため、シートカバーを保有していない人が大多数である。
【０００３】従って、屋外で洗車し、ワックスがけをした直後に突然の雨が降るとシートカバーをかぶせることが出来ず、車が汚れるとの問題を生じていた。シートカバーを保有していても、時間的に間に合わない場合や作業が大変であるとの問題があった。又、屋外に駐車する車においては、雨や埃に起因する汚れの他、鳥の糞による汚れが発生しやすく、ひどい場合には窓ガラスが鳥の糞で視界が悪影響され、運転に支障をきたす場合もあった。更に、冬においてはフロントガラスなどに凍りついた霜や雪が付着し、取り除くのに大変な作業を必要としていた。又、直ぐに車を発車できないとの問題もあった。
【０００４】
【発明が解決しようとする課題】本発明は、上述した従来の問題点に鑑みてなされたものであり、その目的とするところは、自動車にシートカバーを簡便に容易にかぶせることが出来、車体に積載又は車体の一部に取り付け可能な自動車搭載用シートカバー装置を提供するものである。
【０００５】
【課題を解決するための手段】すなわち、本発明によれば、シートと、該シートをロール巻きするローラーと、該ローラーを保持する保持具とを少なくとも具備してなるシートカバー装置であって、該シートカバー装置は自動車の所定個所に着脱自在に取り付けられるようになっていることを特徴とする自動車搭載用シートカバー装置が提供される。
【０００６】本発明においては、前記シートとして樹脂製のものが好ましく、樹脂製のシートは包装用ラップフィルムであることが好ましい。又、前記樹脂製のシートが自動車の車体寸法に合わせて開閉自在に折畳まれた樹脂製シートカバーであることが好ましい。更に、前記樹脂製シートが前記ローラーと複数本の薄いテープ状の引き込みリードで接続されていることが好ましい。更に又、前記ローラーを保持する保持具に車体の一部に取着する金具が設けられていることが好ましい。
【０００７】また、本発明によれば、折畳み用ローラーと支持アームからなり、該折畳み用ローラーによりシートを自動車の車体寸法に合わせて開閉自在に折畳む折畳みユニットと、前記折畳みユニットにより折畳まれたシートを巻き取るローラーと、前記巻き取り駆動装置を収納する容器と、を少なくとも具備してなるシートカバー装置であって、該シートカバー装置は自動車の所定個所に着脱自在に取り付けられるようになっていることを特徴とする自動車搭載用シートカバー装置、が提供される。
この自動車搭載用シートカバー装置においては、２枚の板と、該２枚の板の間隔を狭めてシートを挟み込むための締め付け用金具とから構成されるシート挟み込み治具が、前記容器の開口部に取り付けられていることが好ましい。
【０００８】
【発明の実施の形態】以下、本発明の実施の形態について説明するが、本発明は以下に示す実施の形態に限定されるものではないことは明らかであろう。
【０００９】図１は、本発明の第１の実施形態である自動車搭載用シートカバー装置を自動車のトランクに収納したケースを示す説明図である。本発明の自動車搭載用シートカバー装置１は、図２に示すような、開閉自在に折畳まれた樹脂製シート２と、そのシート２をロール巻きにしたローラー３と、そのローラー３を保持するローラーステー（支柱）４ａと基台４ｂとからなる保持具４とから構成されており、シートカバー装置１は自動車車体２８のトランク２６ａの内部に着脱自在に取り付けられるようになっている。
【００１０】図３は、保持具４にカバー容器５を被せた状態の斜視図を示す。カバー容器５の上面には開閉自在に折畳まれた樹脂製シート２を引き出すスリット状の開口部６が設けられている。なお、シート２としては樹脂製が好ましいが、これには限定されない。例えば、シート２として、弾力性のあるゴム材質のものや、防水加工を施した布材のごとき材質のものを用いることができる。
【００１１】次に、本発明の自動車搭載用シートカバー装置１を用いて自動車にシート２を被せる手順について説明する。
図４に示すとおり、トランク蓋２６を開け、カバー容器５の開口部６から折畳まれた樹脂製シート２を図５に示すように引き出す。ここで、樹脂製シート２は、予め車体２８の寸法に対応して裁断された例えばビニルシートを折畳み、ローラー３に巻き込まれたものである。樹脂製シート２を更に引き出して、図６に示すごとく、車体２８の天井部で折畳まれた樹脂製シート２の長手方向の折畳み部を広げ、トランク蓋２６を閉める。
【００１２】次に、図７に示すように、車体２８の先端まで充分に樹脂製シート２が届いていることを確認する。次いで図８に示す通り、長手方向の前後端部の未展開部２ａ，２ａを広げ、次いで、横方向の折畳み部２ｂ、２ｂを広げ、図１０及び図１１に示すように車体２８の全体を覆う。
【００１３】なお、図９に示す通り、折畳まれた樹脂製シート２とローラー３は２本の引き込みリード７により接続されており、トランク蓋２６を閉めてトランクロックすることが可能である。
【００１４】引き込みリード７はトランクロック部８から離れた両サイドにあってかつ肉薄のテープ状であり、トランク蓋２６を閉めてもトランク蓋２６と車体２８の間に介在できるほどの平らな薄さであることによる。シート２をシートカバーとして使用した後はシート２を折畳み、引き込みリード７と共にローラー３に巻き込むことが出来る。ローラー３によるシート２の巻き取りは手動でも良いが、モータやばね式による巻き取り駆動部を設けて巻き取ることも出来る。
【００１５】樹脂製シート２としては、食器等を包装する包装用ラップフィルムが好ましい。樹脂製シート２として包装用ラップフィルムを用いた場合は、シートが薄くて軽く柔軟であり、広げて車体に被せる際、車体の形状に良く追従し、車体表面全体に良くフィットするからである。又、安価であり、使い捨ても可能である。
【００１６】包装用ラップフィルムはポリエチレンフィルム、ポリプロピレンフィルム、塩化ビニル樹脂などが用いられるが、生物分解樹脂シート等を用いることも使い捨ての際に好ましい。
樹脂製シート２を車体２８に被せる際、シート２の周縁部９を、図１１に示す通りゴム又はマジックテープにより長さ調節をし、シート２を車体２８に良くフィットさせることが好ましい。
【００１７】引き込みリード７に脱着治具（図示しない）を設けることにより、樹脂製シート２との接合又は取り外しを容易にし、多数回使用後の樹脂製シート２の交換を容易にすることが好ましい。
【００１８】又、使い捨ての場合は、樹脂製シート２としてラップ状のフィルムを用い、引き込みリード７を介在せず直接ローラー３に巻き込み、所定の長さを引き出し、切断し、トランク蓋２６を閉め、シート２の端部を磁石等の止め具で車体２８に取着して、車体２８をシートカバーすることも可能である。この場合、ラップ状のフィルムは折畳まれたものであっても良く、又、折畳まれていない平らなシートであっても良い。
【００１９】以上説明したとおり、本発明に係るシートカバー装置の第１の実施形態の特徴は、自動車に、必要時に、簡単に、短時間で、容易にシートカバーできる点にある。トランクに収容して使用することができ、この場合、トランクロックをしてシートカバーすることができる。又、シートカバーの使い捨ても可能である。
【００２０】次に、本発明の第２の実施形態として、本発明の自動車搭載用シートカバー装置１をバンパー２７に収納する実施形態について説明する。
図１２に示すように、自動車搭載用シートカバー装置１の構成自体は第１の実施形態と同一である。但し、保持具４にはバンパー２７に取り付ける取着治具（図示を省略する。）が設けられている点、及び、樹脂製シート２の引き出し、巻き込みは横方向であって、カバー容器５のスリット状開口部６が側面に設けられている点で異なる。更に、図１３に示す通り、車体２８のバンパー２７の一部が樹脂製シートを引き出す取手１０となっている点で異なる。
【００２１】図１４に示すように、取手１０により折畳まれた樹脂製シート２を引き出し、更に図１５に示すごとき状態、即ち車体２８の先端まで引き出し、取手１０を車体２８の前側のバンパー２７ｂの一部に対応して設けられた受け部１１にはめ込む。なお、２７ａは車体２８の後側バンパーを示す。そして、折畳まれた樹脂製シート２の長手方向の折畳みの残部２ａ，２ａを各々広げ、次いで横方向の折畳み部２ｂ，２ｂを広げて、図１６に示すように車体２８の全体を覆うようにする。
【００２２】以上説明したとおり、本発明に係る自動車搭載用シートカバー装置の第２の実施形態の特徴として、自動車に、必要時に、簡単に、短時間で、容易にシートカバーできる点は第１の実施形態と同じである。第２の実施形態においては、シートカバー装置をバンパーに収容して使用することができ、この場合、バンパーの一部をシートの引き出し取手とし、シートの引き出しを容易にし、かつ、他方のバンパーに設けた受け部にはめ込み、シートがけ及びシートの固定を容易にすることができる。又、シートカバーの使い捨ても可能である。
【００２３】次に、本発明の第３の実施形態である自動車搭載用シートカバー装置について説明する。図１７及び図１８に示す通り、本発明の第３の実施形態である自動車搭載用シートカバー装置１５は自動車後部のバンパー２７ａに取り付けられる。なお、図１７は本発明の第３の実施形態である自動車搭載用シートカバー装置１５を正面から見た断面図であり、図１８は上方から見た断面図である。
【００２４】本発明の第３の実施形態である自動車搭載用シートカバー装置１５は、図１７及び図１８に示す通り、シート２と、シート２を折り畳む折畳みユニット１４と、該折畳みユニット１４により折畳まれたシート２を巻き取る巻き取り駆動装置１２と、該巻き取り駆動装置１２を収納する容器２９とを具備する。シート２は、自動車の車体寸法に合わせて折畳むことが可能に構成されており、また、折畳みユニット１４は、折畳みユニット用ローラー１６と支持アーム１７からなり、該折畳みユニット用ローラー１６によりシート２を自動車の車体寸法に合わせて開閉自在に折畳む。そして、折畳みユニット１４により折畳まれたシート２は、巻き取り駆動装置１２により巻き取られる。なお、２９は巻き取り駆動装置１２を収納する容器である。
【００２５】上記したように、本発明の第３の実施形態である自動車搭載用シートカバー装置の特徴は、使用後のシートカバー２を巻き戻すことが容易にできる機能が折畳みユニット１４として付加されている点にある。
巻き取り駆動装置１２は、一般に市販されている折畳みユニット用ローラー１６にシート２を巻き取る装置であって、例えばＯＨＰスクリーンなどに利用されているものを用いることが出来る。シート挟み込み治具１３は、２枚の板１３ａ，１３ａと、この２枚の板１３ａ，１３ａを締め付けてシート２を挟み込むためのボルト又はばね（図示を省略）で構成されている。
【００２６】次に、本発明の第３の実施形態である自動車搭載用シートカバー装置１５を自動車後部のバンパー２７ａに取り付ける態様について説明する。
図１９に示すように、自動車搭載用シートカバー装置１５は、自動車後部のバンパー２７ａに、固定ボルト１８と押板１９により予め取り付けられた断面Ｕ字状の固定ステー２０にスライド金具２１と固定ボルト２２とからなる取着治具２３により取り付けられる。従って、第３の実施形態である自動車搭載用シートカバー装置１５は、固定ステー２０を介して自動車後部のバンパー２７ａに取着される。
【００２７】シート挟み込み治具１３は、折畳まれたシート２を挟み込む２枚の板１３ａ，１３ａとその２枚の板１３ａ、１３ａを締め付ける締め付け用の金具（図示せず）、例えばボルト又はばねで構成されているから、シート２の脱着が容易にできる。又、固定ステー２０にスライド金具２１と固定ボルト２２とからなる取着治具２３により取り付ける方法であるから、自動車搭載用シートカバー装置１５の取り着け作業は容易に短時間で出来る。
【００２８】本発明の第３の実施形態である自動車搭載用シートカバー装置１５を用いて自動車にシートカバーを被せる手順について説明する。
図２０に示す通り、自動車後部のバンパー２７ａに取り付けられた自動車搭載用シートカバー装置１５から折畳まれた樹脂製シート２を引き出し、図２１に示すように、自動車の最前部まで引き出した後、横方向（車の幅方向）に折畳み部を左右に広げ、図２２及び図２３に示すように自動車車体２８の全体を覆う。ここで、引き出されたシート２は、図２４に示す通り、車体２８の前部に予め取り付けたフック２４にバー２５を引っ掛けて固定する。
【００２９】本発明の自動車搭載用シートカバー装置１，１５は、図２５に示す通り、車体２８天井部のキャリヤ３０に取り付けることも可能である。又、図２６に示す通り、自動車のシートカバー用のみでなく、タープとしても利用可能である。
【００３０】
【発明の効果】以上説明したように、本発明の自動車搭載用シートカバー装置によれば、自動車に、必要時に、簡単に、短時間で、容易にシートカバーでき、そのことにより、雨や埃あるいは鳥の糞などに起因する車の汚れを防止でき、あるいは、フロントガラスの霜などの付着も防止できるとの格別の効果が得られる。
【図面の簡単な説明】
【図１】本発明の第１の実施形態である自動車搭載用シートカバー装置を自動車のトランクに積載した例を示す説明図である。
【図２】本発明の第１の実施形態である自動車搭載用シートカバー装置の一例を示す斜視図である。
【図３】本発明の第１の実施形態である自動車搭載用シートカバー装置の他の例を示す斜視図である。
【図４】自動車のトランクを開け、本発明の第１の実施形態である自動車搭載用シートカバー装置から樹脂製シートを引き出す状態を示す説明図である。
【図５】本発明の第１の実施形態である自動車搭載用シートカバー装置から折畳まれた樹脂製シートを引き出す状態を示す部分説明図である。
【図６】本発明の第１の実施形態である自動車搭載用シートカバー装置から引き出された樹脂製シートを示す説明図である。
【図７】自動車搭載用シートカバー装置から引き出された樹脂製シートを長手方向に展開した途中の状態を示す説明図である。
【図８】図７の状態から更に長手方向および幅方向にシートの折畳み部を展開した状態を示す説明図である。
【図９】自動車のトランク蓋を閉めた際、引き込みリードとトランクロック部との位置関係を示す説明図である。
【図１０】本発明の自動車搭載用シートカバー装置により自動車に被せられたシートカバーの状態を示す説明図である。
【図１１】本発明の自動車搭載用シートカバー装置によりシートが自動車に被せられた状態を示す説明図である。
【図１２】本発明の自動車搭載用シートカバー装置を自動車の後部バンパーに取り付ける実施態様を示す説明図である。
【図１３】自動車の後部バンパーに取り付けられた自動車搭載用シートカバー装置から樹脂製シートを引き出す際の取手がバンパーに設けられている状態を示す説明図である。
【図１４】自動車の後部バンパーに取り付けられた自動車搭載用シートカバー装置から樹脂製シートを引き出す状態を示す説明図である。
【図１５】本発明の自動車搭載用シートカバー装置から引き出されたシートを自動車に被せる途中の状態を示す説明図である。
【図１６】自動車の後部バンパーに取り付けられた本発明の自動車搭載用シートカバー装置により自動車にシートを完全に被せた状態を示す説明図である。
【図１７】本発明の第３の実施形態である自動車搭載用シートカバー装置を説明する正面図である。
【図１８】本発明の第３の実施形態である自動車搭載用シートカバー装置を説明する上面図である。
【図１９】本発明の第３の実施形態である自動車搭載用シートカバー装置を自動車の後部バンパーに取り付けた例を説明する断面図である。
【図２０】本発明の第３の実施形態である自動車搭載用シートカバー装置を自動車の後部バンパーに取り付けた状態を示す上面図である。
【図２１】本発明の第３の実施形態である自動車搭載用シートカバー装置から折畳まれた樹脂製シートを長手方向に引き出した状態を示す上面図である。
【図２２】本発明の第３の実施形態である自動車搭載用シートカバー装置から引き出された樹脂製シートを展開した状態を示す上面図である。
【図２３】自動車の後部バンパーに取り付けられた本発明の自動車搭載用シートカバー装置により自動車にシートを被せた状態を示す説明図である。
【図２４】シートを自動車の車体前部に設けたフックとバーで固定する状態を示す部分断面図である。
【図２５】本発明の自動車搭載用シートカバー装置を車体天井部のキャリヤに取り付けた実施態様を示す説明図である。
【図２６】本発明の自動車搭載用シートカバー装置の別の用途を示す説明図である。
【符号の説明】
１…自動車搭載用シートカバー装置、２…樹脂製シート、３…ローラー、４…保持具、４ａ…ローラーステー、４ｂ…基台、５…カバー容器、６…開口部、７…引き込みリード、８…トランクロック部、９…樹脂製シートの周縁部、１０…取手、１１…受け部、１２…巻き取り駆動装置、１３…シート挟み込み治具、１３ａ…板、１４…折畳みユニット、１５…第２発明の自動車搭載用シートカバー装置、１６…折畳みユニット用ローラー、１７…支持アーム、１８…固定ボルト、１９…押板、２０…固定ステー、２１…スライド金具、２２…スライド金具用固定ボルト、２３…取着治具、２４…フック、２５…バー、２６…車体のトランク蓋、２６ａ…トランク、２７…車体のバンパー、２７ａ…車体後側のバンパー、２７ｂ…車体前側のバンパー、２８…車体、２９…容器。
【図１】
2004182160.tif 000003
【図２】
2004182160.tif 000004
【図３】
2004182160.tif 000005
【図４】
2004182160.tif 000006
【図５】
2004182160.tif 000007
【図６】
2004182160.tif 000008
【図７】
2004182160.tif 000009
【図８】
2004182160.tif 000010
【図９】
2004182160.tif 000011
【図１０】
2004182160.tif 000012
【図１１】
2004182160.tif 000013
【図１２】
2004182160.tif 000014
【図１３】
2004182160.tif 000015
【図１４】
2004182160.tif 000016
【図１５】
2004182160.tif 000017
【図１６】
2004182160.tif 000018
【図１７】
2004182160.tif 000019
【図１８】
2004182160.tif 000020
【図１９】
2004182160.tif 000021
【図２０】
2004182160.tif 000022
【図２１】
2004182160.tif 000023
【図２２】
2004182160.tif 000024
【図２３】
2004182160.tif 000025
【図２４】
2004182160.tif 000026
【図２５】
2004182160.tif 000027
【図２６】
2004182160.tif 000028